(57)【要約】【構成】画像データは、カメラモードに対応してカメラ処理回路１８からＳＤＲＡＭ２２に取り込まれ、再生モードに対応してＩ／Ｆ３２からＳＤＲＡＭ２２に取り込まれる。ＬＣＤドライバ２４およびＬＣＤモニタ２６を構成要素とする表示系は、ＳＤＲＡＭ２２に格納された画像データに基づく画像を再現する。また、ＨＤＭＩトランスミッタ３６は、コネクタカバー４０が開かれたときにＨＤＭＩケーブルとの接続のために露出するコネクタ３８から、ＳＤＲＡＭ２２に格納された画像データを出力する。ＣＰＵ２８は、コネクタカバー４０の開閉状態を参照して、表示系およびＨＤＭＩトランスミッタ３６に択一的に電源を供給する。【効果】消費電力の削減が図られる。【選択図】図２
2011097491.tif 000002
【特許請求の範囲】
【請求項１】
コンテンツデータをバッファメモリに取り込む取り込み手段、
前記バッファメモリに格納されたコンテンツデータに基づくコンテンツを再現する再現手段、
カバーが開かれたときにケーブルとの接続のために露出するコネクタから前記バッファメモリに格納されたコンテンツデータを出力する出力手段、および
前記カバーの開閉状態を参照して前記再現手段および前記出力手段に択一的に電源を供給する供給手段を備える、コンテンツ処理装置。
【請求項２】
前記コネクタに前記ケーブルが接続されているか否かを繰り返し判別して前記出力手段の出力処理を許可／制限する制御手段をさらに備える、請求項１記載のコンテンツ処理装置。
【請求項３】
前記ケーブルはＨＤＭＩ規格に対応するケーブルに相当し、
前記制御手段はＨＰＤ信号を参照して判別処理を実行する、請求項２記載のコンテンツ処理装置。
【請求項４】
前記バッファメモリに格納されたコンテンツデータを記録モードに対応して記録媒体に記録する記録手段、
前記記録媒体に保存されたコンテンツデータを再生モードに対応して再生する再生手段をさらに備え、
前記取り込み手段は、前記記録手段によって記録すべきコンテンツデータを前記バッファメモリに取り込む第１コンテンツデータ取り込み手段、および前記再生手段によって再生されたコンテンツデータを前記バッファメモリに取り込む第２コンテンツデータ取り込み手段を含む、請求項１ないし３のいずれかに記載のコンテンツ処理装置。
【請求項５】
被写界を捉える撮像手段をさらに備え、
前記コンテンツデータは前記撮像手段によって捉えられた被写界を表す画像データに相当する、請求項１ないし４のいずれかに記載のコンテンツ処理装置。
【発明の詳細な説明】
【技術分野】
【０００１】
この発明は、コンテンツ処理装置に関し、特にＨＤＭＩケーブルによって接続されるソースデバイスに適用され、コンテンツデータを外部装置に転送する、コンテンツ処理装置に関する。
【背景技術】
【０００２】
この種の装置の一例が、特許文献１に開示されている。この背景技術によれば、ＨＤＭＩ受信部およびＨＤＭＩ送信部が停止している状態でディスプレイまたはプレイヤからＣＥＣ信号を受信すると、切替信号がＣＥＣ信号処理部からスイッチに与えられる。この結果、ＨＤＭＩ受信部およびＨＤＭＩ送信部に電源が供給され、ディスプレイまたはプレイヤとの間でのＡＶ信号の送受信が可能となる。
【先行技術文献】
【特許文献】
【０００３】
【特許文献１】特開２００８−２８３４６９号公報
【発明の概要】
【発明が解決しようとする課題】
【０００４】
しかし、背景技術では、ＨＤＭＩ受信部およびＨＤＭＩ送信部が停止している状態でもＣＥＣ信号処理部には電源を供給する必要があり、消費電力の削減に限界がある。
【０００５】
それゆえに、この発明の主たる目的は、消費電力をより削減することができる、コンテンツ処理装置を提供することである。
【課題を解決するための手段】
【０００６】
この発明に従うコンテンツ処理装置(10：実施例で相当する参照符号。以下同じ)は、コンテンツデータをバッファメモリ(22)に取り込む取り込み手段(18, 32)、バッファメモリに格納されたコンテンツデータに基づくコンテンツを再現する再現手段(24, 26)、カバー(40)が開かれたときにケーブル(CBL1)との接続のために露出するコネクタ(38)からバッファメモリに格納されたコンテンツデータを出力する出力手段(36)、およびカバーの開閉状態を参照して再現手段および出力手段に択一的に電源を供給する供給手段(S19~S25, S31)を備える。
【０００７】
好ましくは、コネクタにケーブルが接続されているか否かを繰り返し判別して出力手段の出力処理を許可／制限する制御手段(S61~S63)がさらに備えられる。
【０００８】
さらに好ましくは、ケーブルはＨＤＭＩ規格に対応するケーブルに相当し、制御手段はＨＰＤ信号を参照して判別処理を実行する。
【０００９】
好ましくは、バッファメモリに格納されたコンテンツデータを記録モードに対応して記録媒体(34)に記録する記録手段(S45)、記録媒体に保存されたコンテンツデータを再生モードに対応して再生する再生手段(S53)がさらに備えられ、取り込み手段は、記録手段によって記録すべきコンテンツデータをバッファメモリに取り込む第１コンテンツデータ取り込み手段(18)、および再生手段によって再生されたコンテンツデータをバッファメモリに取り込む第２コンテンツデータ取り込み手段(32)を含む。
【００１０】
好ましくは、被写界を捉える撮像手段(14)がさらに備えられ、コンテンツデータは撮像手段によって捉えられた被写界を表す画像データに相当する。
【発明の効果】
【００１１】
この発明によれば、カバーの開閉状態を参照して再現手段および出力手段に択一的に電源を供給することで、消費電力の削減が図られる。また、カバーが開かれたときケーブルの接続に先立って出力手段に電源を供給できるため、ケーブルの着脱検知機能を出力手段に担わせることができる。これによって、コンテンツデータの処理性能が向上する。
【００１２】
この発明の上述の目的，その他の目的，特徴および利点は、図面を参照して行う以下の実施例の詳細な説明から一層明らかとなろう。
【図面の簡単な説明】
【００１３】
【図１】この発明の基本的構成を示すブロック図である。
【図２】この発明の一実施例の構成を示すブロック図である。
【図３】図２実施例に適用されるＨＤＭＩトランスミッタの構成の一例を示すブロック図である。
【図４】図２実施例とディジタルテレビとの接続関係の一例を示す図解図である。
【図５】図２実施例に適用されるＣＰＵの動作の一部を示すフロー図である。
【図６】図２実施例に適用されるＣＰＵの動作の他の一部を示すフロー図である。
【図７】図２実施例に適用されるＣＰＵの動作のその他の一部を示すフロー図である。
【図８】図２実施例に適用されるＣＰＵの動作のさらにその他の一部を示すフロー図である。
【図９】図２実施例に適用されるＣＰＵの動作の他の一部を示すフロー図である。
【図１０】図２実施例に適用されるＣＰＵの動作のその他の一部を示すフロー図である。
【図１１】図２実施例に適用されるＣＰＵの動作のさらにその他の一部を示すフロー図である。
【図１２】図２実施例に適用されるＣＰＵの動作の他の一部を示すフロー図である。
【発明を実施するための形態】
【００１４】
以下、この発明の実施の形態を図面を参照しながら説明する。
［基本的構成］
【００１５】
図１を参照して、この発明のコンテンツ処理装置は、基本的に次のように構成される。取り込み手段１は、コンテンツデータをバッファメモリ５に取り込む。再現手段２は、バッファメモリ５に格納されたコンテンツデータに基づくコンテンツを再現する。出力手段３は、カバー６が開かれたときにケーブルとの接続のために露出するコネクタ７からバッファメモリ５に格納されたコンテンツデータを出力する。供給手段４は、カバー６の開閉状態を参照して再現手段２および出力手段３に択一的に電源を供給する。
【００１６】
カバー６の開閉状態を参照して再現手段２および出力手段３に択一的に電源を供給することで、消費電力の削減が図られる。また、カバー６が開かれたときケーブルの接続に先立って出力手段３に電源を供給できるため、ケーブルの着脱検知機能を出力手段３に担わせることができる。
［実施例］
【００１７】
図２を参照して、この実施例のディジタルカメラ１０は、光学レンズ１２を含む。被写界の光学像は、光学レンズ１２を通してイメージセンサ１４の撮像面に照射される。撮像面では、被写界を表す電荷が光電変換によって生成される。
【００１８】
ディジタルカメラ１０はまた、ＤＣ／ＤＣコンバータ４６に接続されたバッテリ４４を含む。ＤＣ／ＤＣコンバータ４６は、複数の電圧値をそれぞれ有する複数の直流電圧をバッテリ電圧に基づいて生成し、生成された複数の直流電圧をＳＷ群４８を介して撮像系，表示系，ＨＤＭＩトランスミッタ３６を含む複数の回路ないしデバイスに供給する。
【００１９】
なお、撮像系はイメージセンサ１４およびカメラ処理回路１８を主たる構成要素とし、表示系はＬＣＤドライバ２４およびＬＣＤモニタ２６を主たる構成要素とする。
【００２０】
電源ボタン５０が操作されると、ＤＣ／ＤＣコンバータ４６によって変換された直流電圧の一部がＣＰＵ２８に供給され、これによってＣＰＵ２８が起動される。ＣＰＵ２８は、キー入力装置３０に設けられたモード切り換えスイッチ３０ｍｄの設定（つまり現時点の動作モード）をメインタスクの下で判別し、カメラモードに対応して撮像タスクを起動する一方、再生モードに対応して再生タスクを起動する。
【００２１】
ＣＰＵ２８はまた、メインタスクと並列する電源制御タスクの下でも現時点の動作モードを判別し、カメラモードに対応して撮像系および表示系に電源を供給する一方、再生モードに対応して表示系に電源を供給する。
【００２２】
撮像タスクが起動されたとき、ＣＰＵ２８は、動画取り込み処理を実行するべくイメージセンサ１４に命令を与える。イメージセンサ１４は、ＳＧ(Signal Generator)１６から出力される同期信号に応答して撮像面を露光し、撮像面で生成された電荷をラスタ走査態様で読み出す。イメージセンサ１４からは、被写界を表す生画像データが繰り返し出力される。
【００２３】
カメラ処理回路１８は、ＳＧ１６から出力された画素クロックに応答して、イメージセンサ１４から出力された生画像データに色分離，白バランス調整，ＹＵＶ変換などの処理を施す。これによって作成されたＹＵＶ形式の画像データは、データバスＢＳ１を転送された後、メモリ制御回路２０によってＳＤＲＡＭ２２に書き込まれる。
【００２４】
ＬＣＤドライバ２４は、ＳＤＲＡＭ２２に格納された画像データをメモリ制御回路２０を通して繰り返し読み出し、読み出された画像データをデータバスＢＳ１を介して入力し、入力された画像データに基づいてＬＣＤモニタ２６を駆動する。この結果、被写界を表すリアルタイム動画像（スルー画像）がモニタ画面に表示される。
【００２５】
キー入力装置３０上のシャッタボタン３０ｓが操作されると、ＣＰＵ２８は、記録処理の実行をＩ／Ｆ３２に命令する。Ｉ／Ｆ３２は、撮像操作が行われた時点の被写界を表す１フレームの画像データをメモリ制御回路２０を通してＳＤＲＡＭ２２から読み出し、読み出された画像データをデータバスＢＳ１を介して入力し、入力された画像データをファイル形式で記録媒体３４に記録する。
【００２６】
再生タスクが起動されると、ＣＰＵ２８は、記録媒体３４に記録された画像ファイルを指定し、指定画像ファイルの再生処理をＩ／Ｆ３２およびＬＣＤドライバ２４に命令する。Ｉ／Ｆ３２は、指定画像ファイルから画像データを読み出し、読み出された画像データをデータバスＢＳ１およびメモリ制御回路２０を通してＳＤＲＡＭ２２に書き込む。
【００２７】
ＬＣＤドライバ２４は、ＳＤＲＡＭ２２に格納された画像データをメモリ制御回路２０を通して読み出し、読み出された画像データをデータバスＢＳ１を介して入力し、入力された画像データに基づいてＬＣＤモニタ２６を駆動する。この結果、再生画像がＬＣＤモニタ２６に表示される。
【００２８】
再生モードにおいて画像送りボタン３０ｆが操作されると、ＣＰＵ２８は次の画像ファイルを指定し、上述と同様の再生処理をＩ／Ｆ３２およびＬＣＤドライバ２４に命令する。この結果、ＬＣＤモニタ２６の表示が更新される。
【００２９】
コネクタカバー４０は、閉状態においてコネクタ３８を覆う一方、開状態においてコネクタ３８を外部に露出させる。コネクタカバー４０の開閉状態は、開閉センサ４２によって検知される。開閉センサ４２は、コネクタカバー４０が閉状態のとき検知信号をＬレベルに設定し、コネクタカバー４０が開状態のとき検知信号をＨレベルに設定する。
【００３０】
ＣＰＵ２８は、上述した電源制御タスクの下で、開閉センサ４２から出力された検知信号に基づいてコネクタカバー４０の開閉状態を判別する。コネクタカバー４０が開かれると、ＣＰＵ２８は、表示系に代えてＨＤＭＩトランスミッタ３６に電源を供給し、ＨＤＭＩ制御タスクおよび画像出力制御タスクを起動する。コネクタカバー４０が閉じられると、ＣＰＵ２８は、ＨＤＭＩトランスミッタ３６に代えて表示系に電源を供給し、ＨＤＭＩ制御タスクおよび画像出力制御タスクを停止する。
【００３１】
ＨＤＭＩトランスミッタ３６は、ＨＤＭＩ(High-Definition Multimedia Interface)規格に適合するＩ／Ｆであり、詳しくは図３に示すように構成される。ＨＤＭＩケーブルＣＢＬ１の一方端をコネクタ３８に接続するとともに、ＨＤＭＩケーブルＣＢＬ１の他方端を図４に示すディジタルテレビ７０のコネクタ（図示せず）に接続すると、カメラモードまたは再生モードの下でＳＤＡＲＭ２２に格納された画像データがディジタルカメラ１０からディジタルテレビ７０に転送される。テレビ画面には、カメラモードに対応してスルー画像が表示され、再生モードに対応して再生画像が表示される。
【００３２】
図２および図３を参照して、ＤＤＣ通信インタフェース６６およびＣＥＣ通信インタフェース６２は、Ｉ２Ｃ規格に適合するシリアルバスＢＳ２によってＣＰＵ２８と接続される。また、ＨＰＤ(Hot-Plug Detect)信号は、ＨＤＭＩケーブルＣＢＬ１がコネクタ３８に接続されたときＨレベルを示し、ＨＤＭＩケーブルＣＢＬ１がコネクタ３８から抜き取られたときＬレベルを示す。ケーブル検知回路７２は、このようなＨＰＤ信号のレベルを参照してＨＤＭＩケーブルＣＢＬ１の接続／非接続を判別し、判別結果をＣＰＵ２８に与える。
【００３３】
ＣＰＵ２８は、ＨＤＭＩ制御タスクの下でＨＤＭＩケーブルＣＢＬ１の接続／非接続を判別し、ＨＤＭＩケーブルＣＢＬ１が接続状態にあるときにＣＥＣ通信処理を実行する。ＣＥＣ通信処理の下でＣＰＵ２８によって発行されたコマンドは、シリアルバスＢＳ２およびホストバスインタフェース６２を介してＣＥＣ処理回路６４に与えられ、ＣＥＣ規格に適合するＣＥＣ＿ＯＵＴデータに符号化される。符号化されたＣＥＣ＿ＯＵＴデータは、ＨＤＭＩケーブルＣＢＬ１を介してディジタルテレビ７０に送出される。
【００３４】
一方、ディジタルテレビ７０から返送されたＡＣＫなどの応答信号は、ＨＤＭＩケーブルＣＢＬ１を介してＣＥＣ＿ＩＮデータとしてＣＥＣ処理回路６４に与えられる。ＣＥＣ処理回路６４は、与えられたＣＥＣ＿ＩＮデータを復号し、復号された応答信号をホストバスインタフェース６２およびシリアルバスＢＳ２を介してＣＰＵ２８に与える。
【００３５】
ＣＰＵ２８はまた、画像出力制御タスクの下でＨＤＭＩケーブルＣＢＬ１の接続／非接続を判別し、ＨＤＭＩケーブルＣＢＬ１が接続状態にあるときに画像出力処理を実行する。画像出力処理において、ＣＰＵ２８は、ＤＤＣ通信インタフェース６２およびＤＤＣ処理回路６８を介してディジタルテレビ７０からＥＤＩＤを取得し、ＳＤＲＡＭ２２に格納された画像データをディジタルテレビ７０のフォーマットに適合する態様でディジタルテレビ７０に向けて出力する。
【００３６】
ＳＤＲＡＭ２２に格納された画像データは、メモリ制御回路２０およびデータバスＢＳ１を介して、既定量ずつＴＭＤＳエンコーダ５０に与えられる。ＴＭＤＳエンコーダ５０は、ＳＧ１６から出力された同期信号および画素クロックと制御レジスタ７４の設定とを参照して画像データを符号化し、符号化された画像データを基準クロックとともにディジタルテレビ７０に送出する。この結果、スルー画像または再生画像がテレビ画面に表示される。
【００３７】
ＣＰＵ２６は、図５に示すメインタスク，図６〜図８に示す電源制御タスク，図９に示す撮像タスク，図１０に示す再生タスク，図１１に示すＨＤＭＩ制御タスク，および図１２に示す画像出力制御タスクを含む複数のタスクを並列的に実行する。これらのタスクに対応する制御プログラムは、図示しないフラッシュメモリに記憶される。
【００３８】
図５を参照して、ステップＳ１では現時点の動作モードがカメラモードおよび再生モードのいずれであるかを判別する。現時点の動作モードがカメラモードであればステップＳ３で撮像タスクを起動し、現時点の動作モードが再生モードであればステップＳ５で再生タスクを起動する。ステップＳ３またはＳ５の処理が完了すると、モード切り換え操作が行われたか否かをステップＳ７で繰り返し判別する。判別結果がＮＯからＹＥＳに更新されると、起動中のタスクをステップＳ９で停止し、その後にステップＳ１に戻る。
【００３９】
図６を参照して、ステップＳ１１では現時点の動作モードがカメラモードおよび再生モードのいずれであるかを判別する。現時点の動作モードがカメラモードであれば、ステップＳ１３で撮像系に電源を供給し、ステップＳ１５で表示系に電源を供給する。一方、現時点の動作モードが再生モードであれば、ステップＳ１３の処理を経ることなく、ステップＳ１５で表示系に電源を供給する。ステップＳ１７では、フラグＦＬＧｏｐｅｎを“０”に設定する。フラグＦＬＧｏｐｅｎはコネクタカバー４０の開閉状態を識別するためのフラグであり、“１”が開状態を示す一方、“０”が閉状態を示す。
【００４０】
なお、ステップＳ１１〜Ｓ１７の処理は、カバー４０が閉状態にあるとの想定の下で初期的に実行される処理である。
【００４１】
ステップＳ１９では、コネクタカバー４０の状態が開状態および閉状態のいずれであるかを判別する。コネクタカバー４０が開状態であれば、フラグＦＬＧｏｐｅｎが“０”であるか否かをステップＳ２１で判別する。コネクタカバー４０が閉状態であれば、フラグＦＬＧｏｐｅｎが“１”であるか否かをステップＳ２３で判別する。
【００４２】
ステップＳ２１でＹＥＳであればステップＳ２５〜Ｓ２９の処理を経てステップＳ３７に進み、ステップＳ２３でＹＥＳであればステップＳ３１〜Ｓ３５の処理を経てステップＳ３７に進み、ステップＳ２１またはＳ２３でＮＯであればそのままステップＳ３７に進む。
【００４３】
ステップＳ２５では、表示系への電源の供給を停止し、代わりにＨＤＭＩトランスミッタ３６に電源を供給する。ステップＳ２７ではＨＤＭＩ制御タスクを起動し、ステップＳ２８では画像出力制御タスクを起動し、ステップＳ２９ではフラグＦＬＧｏｐｅｎを“１”に更新する。ステップＳ３１では、ＨＤＭＩ−ＣＥＣトランスミッタ３６への電源の供給を停止し、代わりに表示系に電源を供給する。ステップＳ３３ではＨＤＭＩ制御タスクを停止し、ステップＳ３４では画像出力制御タスクを停止し、ステップＳ３５ではフラグＦＬＧｏｐｅｎを“０”に更新する。
【００４４】
ステップＳ３７では、モード切り換え操作が行われたか否かを判別する。判別結果がＮＯであればそのままステップＳ１９に戻る。判別結果がＹＥＳであれば、ステップＳ３９に進み、撮像系，表示系，ＨＤＭＩトランスミッタ３６への電源の供給を停止する。ステップＳ３９の処理が完了すると、ステップＳ１１に戻る。
【００４５】
図９を参照して、ステップＳ４１では動画取り込み処理を実行する。この結果、被写界を表すスルー画像がＬＣＤモニタ２６に表示される。ステップＳ４３では、シャッタボタン３０ｓが操作されたか否かを繰り返し判別する。判別結果がＮＯからＹＥＳに更新されると、ステップＳ４５で記録処理を実行する。この結果、シャッタボタン３０ｓが操作された時点の被写界を表す画像データがファイル形式で記録媒体３４に記録される。ステップＳ４５の処理が完了すると、ステップＳ４３に戻る。
【００４６】
図１０を参照して、ステップＳ５１では記録媒体３４に記録された最新の画像ファイルを指定し、ステップＳ５３では指定画像ファイルに注目した再生処理を実行する。この結果、指定画像ファイルに格納された画像データに基づく再生画像がＬＣＤモニタ２６に表示される。ステップＳ５５では送りボタン３０ｆが操作されたか否かを繰り返し判別する。判別結果がＮＯからＹＥＳに更新されると、ステップＳ５７で次の画像ファイルを再生画像ファイルとして指定し、その後にステップＳ５３に戻る。この結果、ＬＣＤモニタ２６に表示された再生画像が格納された画像データに基づく再生画像に更新される。
【００４７】
図１１を参照して、ステップＳ６１では、ＨＤＭＩケーブルＣＢＬ１がコネクタ３８に接続されているか否かを、ケーブル検知回路６６の出力に基づいて繰り返し判別する。判別結果がＮＯからＹＥＳに更新されると、ステップＳ６３でＣＥＣ通信処理を実行する。ステップＳ６３の処理が完了すると、ステップＳ６１に戻る。
【００４８】
図１２を参照して、ステップＳ７１では、ＨＤＭＩケーブルＣＢＬ１がコネクタ３８に接続されているか否かを、ケーブル検知回路６６の出力に基づいて繰り返し判別する。判別結果がＮＯからＹＥＳに更新されると、ステップＳ７３で画像出力処理を実行する。ステップＳ７３の処理が完了すると、ステップＳ７１に戻る。
【００４９】
以上の説明から分かるように、画像データは、カメラモードに対応してカメラ処理回路１８からＳＤＲＡＭ２２に取り込まれ、再生モードに対応してＩ／Ｆ３２からＳＤＲＡＭ２２に取り込まれる。ＬＣＤドライバ２４およびＬＣＤモニタ２６を構成要素とする表示系は、ＳＤＲＡＭ２２に格納された画像データに基づく画像を再現する。また、ＨＤＭＩトランスミッタ３６は、コネクタカバー４０が開かれたときにＨＤＭＩケーブルＣＢＬ１との接続のために露出するコネクタ３８から、ＳＤＲＡＭ２２に格納された画像データを出力する。ＣＰＵ２８は、コネクタカバー４０の開閉状態を参照して、表示系およびＨＤＭＩトランスミッタ３６に択一的に電源を供給する(S19~S25, S31)。
【００５０】
コネクタカバー４０の開閉状態を参照して表示系およびＨＤＭＩトランスミッタ３６に択一的に電源を供給することで、消費電力の削減が図られる。また、コネクタカバー４０が開かれたときＨＤＭＩケーブルＣＢＬ１の接続に先立ってＨＤＭＩトランスミッタ３６に電源を供給できるため、ＨＤＭＩケーブルＣＢＬ１の着脱検知機能をＨＤＭＩトランスミッタ３６に担わせることができる。
【００５１】
なお、この実施例では、ディジタルカメラを想定しているが、この発明はビデオレコーダやオーディオレコーダなどの装置にも適用できる。
【符号の説明】
【００５２】
１０  …ディジタルカメラ
１８  …カメラ処理回路
２８  …ＣＰＵ
３０  …キー入力装置
３４  …記録媒体
３６  …ＨＤＭＩトランスミッタ
【図１】
2011097491.tif 000003
【図２】
2011097491.tif 000004
【図３】
2011097491.tif 000005
【図４】
2011097491.tif 000006
【図５】
2011097491.tif 000007
【図６】
2011097491.tif 000008
【図７】
2011097491.tif 000009
【図８】
2011097491.tif 000010
【図９】
2011097491.tif 000011
【図１０】
2011097491.tif 000012
【図１１】
2011097491.tif 000013
【図１２】
2011097491.tif 000014